(57)【要約】      （修正有）【課題】パケット信号からＳＤＨ／ＳＯＮＥＴ信号へデパケット化する際のゆらぎを吸収するパケット転送システムを提供する。【解決手段】パケット転送網の各ノードに接続されるオペレーションシステムが構築する転送経路を介してＳＤＨ／ＳＯＮＥＴ信号をパケット化したパケット信号を転送し、転送先のデパケット化ノードでパケット信号にゆらぎ吸収用遅延量を付加してパケット転送網で生じたゆらぎを吸収し、さらにデパケット化してＳＤＨ／ＳＯＮＥＴ信号に戻すパケット転送システムにおいて、パケット転送網の各通過ノード数に応じた最大ゆらぎ発生量をオペレーションシステムに登録する手段を備え、オペレーションシステムは、パケット信号の転送経路を構築する際にその通過ノード数に応じた登録済みの最大ゆらぎ発生量を取得し、デパケット化ノードに対して転送経路の通過ノード数に応じた最大ゆらぎ発生量を吸収するためのゆらぎ吸収用遅延量を設定する。【選択図】図１
2012169750.tif 000002
【特許請求の範囲】
【請求項１】
パケット転送網の各ノードに接続されるオペレーションシステムが構築する転送経路を介して、ＳＤＨ／ＳＯＮＥＴ信号をパケット化したパケット信号を転送し、転送先のデパケット化ノードでパケット信号にゆらぎ吸収用遅延量を付加してパケット転送網で生じたゆらぎを吸収し、さらにデパケット化してＳＤＨ／ＳＯＮＥＴ信号に戻すパケット転送システムにおいて、
前記パケット転送網の各通過ノード数に応じた最大ゆらぎ発生量を前記オペレーションシステムに登録する手段を備え、
前記オペレーションシステムは、前記パケット信号の転送経路を構築する際にその通過ノード数に応じた登録済みの最大ゆらぎ発生量を取得し、前記デパケット化ノードに対して転送経路の通過ノード数に応じた最大ゆらぎ発生量を吸収するためのゆらぎ吸収用遅延量を設定する構成である
ことを特徴とするパケット転送システム。
【請求項２】
請求項１に記載のパケット転送システムにおいて、
前記パケット転送網の各通過ノード数に応じた最大ゆらぎ発生量は、前記オペレーションシステムが前記パケット信号の転送経路を構築する前にネットワークシミュレータを用いて計算し、前記オペレーションシステムに登録する構成である
ことを特徴とするパケット転送システム。
【請求項３】
パケット転送網の各ノードに接続されるオペレーションシステムが構築する転送経路を介して、ＳＤＨ／ＳＯＮＥＴ信号をパケット化したパケット信号を転送し、転送先のデパケット化ノードでパケット信号にゆらぎ吸収用遅延量を付加してパケット転送網で生じたゆらぎを吸収し、さらにデパケット化してＳＤＨ／ＳＯＮＥＴ信号に戻すパケット転送システムのパケットゆらぎ吸収方法において、
前記パケット転送網の各通過ノード数に応じた最大ゆらぎ発生量を前記オペレーションシステムに登録する手段を備え、
前記オペレーションシステムは、前記パケット信号の転送経路を構築する際にその通過ノード数に応じた登録済みの最大ゆらぎ発生量を取得し、前記デパケット化ノードに対して転送経路の通過ノード数に応じた最大ゆらぎ発生量を吸収するためのゆらぎ吸収用遅延量を設定する
ことを特徴とするパケットゆらぎ吸収方法。
【請求項４】
請求項３に記載のパケットゆらぎ吸収方法において、
前記パケット転送網の各通過ノード数に応じた最大ゆらぎ発生量は、前記オペレーションシステムが前記パケット信号の転送経路を構築する前にネットワークシミュレータを用いて計算し、前記オペレーションシステムに登録する
ことを特徴とするパケットゆらぎ吸収方法。
【発明の詳細な説明】
【技術分野】
【０００１】
本発明は、パケット信号からＳＤＨ／ＳＯＮＥＴ信号へデパケット化する際のゆらぎを吸収するパケット転送システムおよびパケットゆらぎ吸収方法に関する。
【背景技術】
【０００２】
ＳＤＨ／ＳＯＮＥＴ信号をパケット化／デパケット化する方式は、非特許文献１にて規定されている。
【０００３】
一般的に、ＳＤＨ／ＳＯＮＥＴ信号をパケット化してパケット網で転送すると、転送経路に応じてパケットのゆらぎが発生する。ＳＤＨ／ＳＯＮＥＴ信号は、クロックに同期したＴＤＭ信号であるため、パケット信号にゆらぎが発生した状態でＳＤＨ／ＳＯＮＥＴ信号にデパケット化することはできない。そのため、パケット信号をデパケット化する際に遅延を付加し、パケット網で発生したゆらぎを吸収している。
【０００４】
図３は、パケット信号のゆらぎを吸収してデパケット化する処理例を示す。
図３において、一方のＳＤＨ／ＳＯＮＥＴ装置１１から出力されたＳＤＨ／ＳＯＮＥＴ信号は、パケット転送網の入口のパケット化ノード１３でパケット化され、パケット転送網の固定的な転送経路を介して転送される。このとき、転送経路に応じてパケットのゆらぎが発生する。パケット転送網の出口のデパケット化ノード１４は、転送されたパケット信号が一定間隔になるようにゆらぎ吸収用遅延を付加し、デパケット化してＳＤＨ／ＳＯＮＥＴ信号に戻し、他方のＳＤＨ／ＳＯＮＥＴ装置１２に出力する。
【先行技術文献】
【非特許文献】
【０００５】
【非特許文献１】IETF RFC4842 Synchronous Optical Network/Synchronous Digital Hierarchy (SONET/SDH)  Circuit Emulation over Packet (CEP) (https://datatracker.ietf.org/doc/rfc4842/)
【発明の概要】
【発明が解決しようとする課題】
【０００６】
従来は、すべてのパケットに対してゆらぎ吸収用遅延を付加することになるため、パケット網でのゆらぎの発生の有無にかかわらず一定の遅延量が付加され、固定的な遅延増加が生じることになる。そのため、ゆらぎ吸収用遅延量は可能な限り短く設定することが好ましい。しかし、図４に示すように、ゆらぎ吸収用遅延量を小さく設定しすぎると、パケット網でゆらぎ吸収用遅延量以上の大きなゆらぎが発生した場合（図４のパケット３）にはゆらぎを吸収しきれなくなり、そのパケットが消失してデータが欠落する。
【０００７】
このパケットの消失を防ぐため、従来は図５に示すようにパケット網で発生すると想定されるゆらぎの分布を計算し、ゆらぎの最大値、または任意のパケット廃棄率になることを許容してゆらぎ吸収用遅延量を決めていた。ただし、ゆらぎを計算するネットワークモデルでは、最大通過ノード数、最大収容数、最大帯域で計算していたため、ゆらぎ吸収用遅延量は大きな値になってしまう。そのため、実際にはパケット化ノードからデパケット化ノードまでの通過ノード数が少ないにもかかわらず、上記のネットワークモデルで計算した最大通過ノード数に応じたゆらぎ吸収用遅延量を設定すると、不必要に長い遅延時間が付加されることがあった。
【０００８】
本発明は、実際の通過ノード数に応じたゆらぎ吸収用遅延量を設定し、遅延時間を低減することができるパケット転送システムおよびパケットゆらぎ吸収方法を提供することを目的とする。
【課題を解決するための手段】
【０００９】
第１の発明は、パケット転送網の各ノードに接続されるオペレーションシステムが構築する転送経路を介して、ＳＤＨ／ＳＯＮＥＴ信号をパケット化したパケット信号を転送し、転送先のデパケット化ノードでパケット信号にゆらぎ吸収用遅延量を付加してパケット転送網で生じたゆらぎを吸収し、さらにデパケット化してＳＤＨ／ＳＯＮＥＴ信号に戻すパケット転送システムにおいて、パケット転送網の各通過ノード数に応じた最大ゆらぎ発生量をオペレーションシステムに登録する手段を備え、オペレーションシステムは、パケット信号の転送経路を構築する際にその通過ノード数に応じた登録済みの最大ゆらぎ発生量を取得し、デパケット化ノードに対して転送経路の通過ノード数に応じた最大ゆらぎ発生量を吸収するためのゆらぎ吸収用遅延量を設定する構成である。
【００１０】
第１の発明のパケット転送システムにおいて、パケット転送網の各通過ノード数に応じた最大ゆらぎ発生量は、オペレーションシステムがパケット信号の転送経路を構築する前にネットワークシミュレータを用いて計算し、オペレーションシステムに登録する構成である。
【００１１】
第２の発明は、パケット転送網の各ノードに接続されるオペレーションシステムが構築する転送経路を介して、ＳＤＨ／ＳＯＮＥＴ信号をパケット化したパケット信号を転送し、転送先のデパケット化ノードでパケット信号にゆらぎ吸収用遅延量を付加してパケット転送網で生じたゆらぎを吸収し、さらにデパケット化してＳＤＨ／ＳＯＮＥＴ信号に戻すパケット転送システムのパケットゆらぎ吸収方法において、パケット転送網の各通過ノード数に応じた最大ゆらぎ発生量をオペレーションシステムに登録する手段を備え、オペレーションシステムは、パケット信号の転送経路を構築する際にその通過ノード数に応じた登録済みの最大ゆらぎ発生量を取得し、デパケット化ノードに対して転送経路の通過ノード数に応じた最大ゆらぎ発生量を吸収するためのゆらぎ吸収用遅延量を設定する。
【００１２】
第２の発明のパケットゆらぎ吸収方法において、パケット転送網の各通過ノード数に応じた最大ゆらぎ発生量は、オペレーションシステムがパケット信号の転送経路を構築する前にネットワークシミュレータを用いて計算し、オペレーションシステムに登録する。
【発明の効果】
【００１３】
本発明は、デパケット化ノードにおいて、それぞれの通過ノード数に応じた最大ゆらぎ発生量を吸収するための最小限のゆらぎ吸収用遅延量が設定することができ、パケット消失を回避しながら従来に比べて遅延時間を大幅に低減することができる。
【図面の簡単な説明】
【００１４】
【図１】本発明のパケット転送システムの実施例を示す図である。
【図２】通過ノード数と最大ゆらぎ発生量の関係の一例を示す図である。
【図３】パケット信号のゆらぎを吸収してデパケット化する処理例を示す図である。
【図４】ゆらぎ吸収用遅延量が小さい場合の動作例を示す図である。
【図５】ゆらぎ発生分布の例を示す図である。
【発明を実施するための形態】
【００１５】
図１は、本発明のパケット転送システムの実施例を示す。
図１において、一方のＳＤＨ／ＳＯＮＥＴ装置１１から出力されたＳＤＨ／ＳＯＮＥＴ信号は、パケット転送網の入口のパケット化ノード１３でパケット化され、パケット転送網の転送経路Ａを介してデパケット化ノード１４−１に転送され、あるいは転送経路Ｂを介してデパケット化ノード１４−２に転送される。デパケット化ノード１４−１，１４−２は、転送されたパケット信号が一定間隔になるようにゆらぎ吸収用遅延を付加し、デパケット化してＳＤＨ／ＳＯＮＥＴ信号に戻し、それぞれＳＤＨ／ＳＯＮＥＴ装置１２−１，１２−２に出力する。ここで、転送経路Ａの通過ノード数は３で、転送経路Ｂの通過ノード数は７とする。パケット転送網の各ノードにはオペレーションシステム１５が接続され、オペレーションシステム１５がパケット信号の転送経路を構築する際に、その転送経路に応じた通過ノード数が把握される。
【００１６】
まず、事前に一般的なネットワークシミュレータ等を用いて、各通過ノード数に応じた最大ゆらぎ発生量を計算し、オペレーションシステム１５に通過ノード数に応じた最大ゆらぎ発生量を登録する。通過ノード数と最大ゆらぎ発生量の関係の一例を図２に示す。ここでは、パケット転送網における最大通過ノード数を50ノードとし、最大ゆらぎ発生量は例えば通過ノード数３の場合で 0.5ｍｓ、通過ノード数７の場合で 1.0ｍｓ、通過ノード数50の場合で 5.0ｍｓとなる。
【００１７】
従来は、デパケット化ノード１４−１，１４−２において、転送経路にかかわらずパケット転送網における最大通過ノード数（50ノード）で計算したゆらぎ吸収用遅延量（ 5.0ｍｓ）を設定し、パケット信号のゆらぎを吸収してデパケット化処理を行っていた。例えば、通過ノード数３の転送経路Ａに対するデパケット化ノード１４−１に対して、最大ゆらぎ発生量の 0.5ｍｓより大きい 5.0ｍｓが設定されていた。
【００１８】
本発明の特徴は、オペレーションシステム１５に通過ノード数に対応した最大ゆらぎ発生量を登録し、パケット信号の転送経路を構築する際にその通過ノード数に応じた最大ゆらぎ発生量を取得し、デパケット化ノード１４−１，１４−２に対してそれぞれの最大ゆらぎ発生量に対応するゆらぎ吸収用遅延量を設定するところにある。本実施例では、転送経路Ａのパケットを入力するデパケット化ノード１４−１では、ゆらぎ吸収用遅延量は通過ノード数が３であることから 0.5ｍｓが設定され、転送経路Ｂのパケットを入力するデパケット化ノード１４−２では、ゆらぎ吸収用遅延量は通過ノード数が７であることから 1.0ｍｓが設定される。
【００１９】
これにより、デパケット化ノード１４−１，１４−２では、それぞれの通過ノード数に応じた最大ゆらぎ発生量を吸収するための最小限のゆらぎ吸収用遅延量が設定され、パケット消失を回避しながら従来に比べて遅延時間を大幅に低減することができる。
【符号の説明】
【００２０】
１１，１２  ＳＤＨ／ＳＯＮＥＴ装置
１３  パケット化ノード
１４  デパケット化ノード
１５  オペレーションシステム
【図１】
2012169750.tif 000003
【図２】
2012169750.tif 000004
【図３】
2012169750.tif 000005
【図４】
2012169750.tif 000006
【図５】
2012169750.tif 000007